(57)【要約】【課題】、耐火ボードの施工性を向上させた連窓構造を提供すること。【解決手段】建物の開口部に設けられる一方の窓部２０及び一方の窓部２０に隣接する他方の窓部２０の間に配置され、一方の窓部２０側の枠体２と、他方の窓部２０側の枠体２とを連結する連結部１０を有する連窓構造であって、連結部１０の室内側の見付面側に配置される耐火ボード４と、耐火ボード４の下面を支持する平面状の受け面部５１を有する受け金具５と、を有する、連窓構造である。【選択図】図２
2019163617.tif 000002
【特許請求の範囲】
【請求項１】
建物の開口部に設けられる一方の窓部及び前記一方の窓部に隣接する他方の窓部の間に配置され、前記一方の窓部側の枠体と、前記他方の窓部側の枠体とを連結する連結部を有する連窓構造であって、
前記連結部の室内側の見付面側に配置される耐火ボードと、
前記耐火ボードの下面を支持する平面状の受け面部を有する受け金具と、を有する、連窓構造。
【請求項２】
前記受け金具は、前記受け面部の室内側見付面又は見込面のいずれか少なくとも一方から起立する壁部を有する請求項１に記載の連窓構造。
【請求項３】
前記受け金具は、前記耐火ボードの上端側及び下端側に設けられ、
前記耐火ボードの前記上端側に配置される受け金具は、少なくとも前記受け面部の前記室内側見付面から起立する前記壁部を有し、
前記上端側に取り付けられた状態で、前記壁部は、前記耐火ボードの室内側面に沿って下垂する、請求項２に記載の連窓構造。
【請求項４】
前記連結部の室内側で、前記耐火ボードの室外側に配置される耐火ボード支持体をさらに備え、
前記受け金具は、前記耐火ボード支持体と別部材で構成される、請求項１〜３のいずれか１項に記載の連窓構造。
【発明の詳細な説明】
【技術分野】
【０００１】
本発明は、連窓構造に関する。
【背景技術】
【０００２】
従来、建物の開口部において、隣接する二つの窓部の間に、方立のような連結部が配置された連窓構造が知られている。連窓構造では、窓部のそれぞれの枠体と、連結部とが、板状の固定部材を介して連結されている。防火性を高めるため、この固定部材と枠体とを、互いに係合可能な係合部により接続することで、高熱に曝された場合の変形に耐えうる構成が提案されている（例えば、特許文献１参照）。
【０００３】
一方、枠体と連結部とを確実に連結することで、火炎が貫通することは抑制できるが、連結部自体は高熱に曝される。連結部自体の耐火性能を向上させる場合は、連結部の室内側に耐火ボードを配置することができる。
【先行技術文献】
【特許文献】
【０００４】
【特許文献１】特開２０１４−１９００８５号公報
【発明の概要】
【発明が解決しようとする課題】
【０００５】
建物の開口部周囲の躯体の構造は、建物によって異なっているため、耐火ボードを取り付ける対象が構造によって異なる。このため、躯体内部がどのような構造になっていても耐火ボードを取付けやすい連窓構造が望まれていた。
【課題を解決するための手段】
【０００６】
本発明は、建物の開口部に設けられる一方の窓部（例えば、後述の窓部２０）及び前記一方の窓部に隣接する他方の窓部の間に配置され、前記一方の窓部側の枠体（例えば、後述の枠体２）と、前記他方の窓部側の枠体とを連結する連結部（例えば、後述の連結部１０）を有する連窓構造であって、前記連結部の室内側の見付面側に配置される耐火ボード（例えば、後述の耐火ボード４）と、前記耐火ボードの下面を支持する平面状の受け面部（例えば、後述の受け面部５１）を有する受け金具（例えば、後述の受け金具５）と、を有する、連窓構造に関する。
【０００７】
前記受け金具は、前記受け面部の室内側見付面又は見込面のいずれか少なくとも一方から起立する壁部（例えば、後述の壁部５２）を有することが好ましい。
【０００８】
前記受け金具は、前記耐火ボードの上端側及び下端側に設けられ、前記耐火ボードの前記上端側に配置される受け金具は、少なくとも前記受け面部の前記室内側見付面から起立する前記壁部を有し、前記上端側に取り付けられた状態で、前記壁部は、前記耐火ボードの室内側面に沿って下垂することが好ましい。
【０００９】
前記連結部の室内側で、前記耐火ボードの室外側に配置される耐火ボード支持体（例えば、後述の耐火ボード支持体４１）をさらに備え、前記受け金具は、前記耐火ボード支持体と別部材で構成されることが好ましい。
【発明の効果】
【００１０】
本発明によれば、耐火ボードの施工性を向上させた連窓構造を提供することができる。
【図面の簡単な説明】
【００１１】
【図１】本実施形態の連窓を室外側から見た正面図である。
【図２】本実施形態の連窓の連結部近傍における縦断面図である。
【図３】本実施形態の連窓の連結部近傍における横断面図である。
【図４】本実施形態のアンカーを示し（ａ）図は斜視図、（ｂ）図は正面図、（ｃ）図は側面図を示す。
【図５】本実施形態の受け金具を示し（ａ）図は斜視図、（ｂ）図は正面図、（ｃ）図は側面図を示す。
【発明を実施するための形態】
【００１２】
以下、本発明の実施形態について図面を参照して詳細に説明する。
図１は本実施形態の建具の室外側から見た正面図である。連窓構造は、連窓１００及び連窓１００が配置される建物の躯体内部の構造体により構成される。
なお、本明細書において、見付方向とは、連窓１００の正面に向き合って見た場合の左右方向を言い、見込方向とは、連窓１００の室内外方向、すなわち奥行方向を言う。
【００１３】
連窓１００は、耐火設備が設けられた防火窓である。連窓１００は、見付方向に互いに隣接して配置される２つの窓部２０と、２つの窓部２０の間の連結部１０と、窓部２０及び連結部１０を接続して固定する固定部材としてのアンカー１と、を有する。
【００１４】
窓部２０は、それぞれが枠体２及びガラス２５を有する。
枠体２は、上枠２１、下枠２２、外側縦枠２３及び内側縦枠２４が枠組みして形成される。枠体２は、内周側に向かって解放された略コの字型の枠材により構成される。上枠２１、下枠２２、外側縦枠２３及び内側縦枠２４のそれぞれは、室内側及び室外側の見付面及びこれらの見付面を接続する見込面を有する。
上枠２１及び下枠２２は、枠体２の上方下でそれぞれが見付方向に延びるように配置される。
外側縦枠２３及び内側縦枠２４は、見付方向の外側で上枠２１及び下枠２２を接続するように延びる。外側縦枠２３は、連窓１００の見付方向の外側に位置する。内側縦枠２４は、隣接する相手側の窓部２０に近い見付方向の内側に位置する。
ガラス２５は、枠体２の内周側に形成されるガラス保持溝に保持される。
【００１５】
図２は、連窓１００の連結部１０近傍の縦断面図である。図２に示すように、建物の開口部において、窓部２０及び連結部１０の下側にはモルタル部１０１が配置され、上側には耐熱繊維の耐火材が充填されている（図示せず）。
連窓１００は、後述する通り、室外側に、カバー部材としての外側カバー３と、シール部３５とを有する。また、室内側に、耐火ボード４と、耐火ボード支持体４１と、受け金具５と、を有する。
【００１６】
図３は、連窓１００の連結部１０近傍の横断面図である。図３に示すように、内側縦枠２４は、枠体側係合部２４０を有する。
枠体側係合部２４０は、内側縦枠２４の見付方向の端部から見付方向外側に延出して見込方向室内側に屈曲する。枠体側係合部２４０は、断面視略Ｌ字状で、後述するアンカー１が係合する部分である。枠体側係合部２４０は、内側縦枠２４の見付方向の端部から見付方向外側、すなわち隣接する相手側の窓部２０の方へ延出する縦枠見付延出部２４１と、縦枠見付延出部２４１の見付方向外側の端部から内側縦枠２４の見込方向の中央部側へ向かって延出する縦枠見込延出部２４２とを有する。枠体側係合部２４０は、内側縦枠２４の室外側の見付方向の端部及び室内側の見付方向の端部の両方に形成される。
【００１７】
連結部１０は、図３に示すように、内部が中空で断面視長方形の金属製の角材である。連結部１０は、一方の窓部２０及び他方の窓部２０の間に配置される。より詳細には、連結部１０は、内側縦枠２４同士の間に配置され、一方の内側縦枠２４と他方の内側縦枠２４とを連結する。また、連結部１０は、連窓１００の上下方向に延びるように配置される。連結部１０は、図２に示すように、取付金具１５に締結されて、この取付金具１５を建物の躯体に溶接することで建物の開口部に固定される。
【００１８】
図４（ａ）はアンカー１の斜視図、図４（ｂ）はアンカー１の正面図、図４（ｃ）はアンカー１の側面図を示す。アンカー１は、連結部１０及び内側縦枠２４に取り付けられ、これらを固定する部材である。アンカー１は、板状部１１と、固定部材側係合部１２と、固定部１３と、を有する。
【００１９】
板状部１１は、略長方形の平坦な板体であり、連結部１０に取り付けられた状態で、連結部１０の見込面に沿って延びるように配置される。
【００２０】
固定部材側係合部１２は、板状部１１の長手方向の端部の一方及び他方に形成される。固定部材側係合部１２は、立ち上がり部１２１及び係合片部１２２を有する。
立ち上がり部１２１は、連結部１０に取り付けられた状態で、板状部１１の見込方向における端部から、見付方向外側に立ち上がって枠体側係合部側へ向かう。
係合片部１２２は、立ち上がり部１２１の先端から板状部１１の長手方向に沿い、連結部１０に取り付けられた状態で、板状部１１の見込方向における端部から見込方向外側へ延びる。
図２に示すように、固定部材側係合部１２は、内側縦枠２４の枠体側係合部２４０における縦枠見込延出部２４２の内面、すなわち内側縦枠２４の見込面側に係合片部１２２が位置するように枠体側係合部２４０に係合する。
【００２１】
固定部１３は、板状部１１から長手方向外側にさらに延出する平坦な面である。固定部１３は、アンカー１が連結部１０に取り付けられた状態で板状部１１の見込方向における端部から見込方向に延出し、内側縦枠２４よりも見込方向室外側に延出する。固定部１３は、連結部１０の見込面にネジを締結するための貫通孔１３ａを有する。内側縦枠２４に係合している固定部１３が、連結部１０の見込面に当接して、貫通孔１３ａを挿通するネジが締結されることにより、固定部１３は、内側縦枠２４と連結部１０とを固定する。
【００２２】
図３に戻って、外側カバー３は、連結部１０の室外側見付面に取り付けられ、連結部１０の室外側見付面や、内側縦枠２４及び連結部１０を固定部１３が固定する部分を被覆する。外側カバー３は、平面部３０及びカバー部材固定部３３と、を有する。
平面部３０は、連結部１０の見付方向に沿って延びる平面状の板面である。平面部３０は、また、連結部１０の上下方向にも沿って延び、連結部１０の外側を覆う。平面部３０は、中央側延出部３１及び端部側延出部３２を有する。
中央側延出部３１は、横断面視で、平面部３０のうち見付方向中央部側で連結部１０の見付面に沿って延びる部分である。
端部側延出部３２は、中央側延出部３１から連続して見付方向外側に延出し、中央側延出部３１の見付方向の両端側から内側縦枠２４側へ向かって延出する部分である。端部側延出部３２は、内側縦枠２４の見付方向の端部を被覆するように配置され、アンカー１の固定部材側係合部１２と内側縦枠２４の枠体側係合部２４０との係合部分も覆っている。
【００２３】
カバー部材固定部３３は、平面部３０における端部側延出部３２の室内側面から突出し、連結部１０の見込面に沿って延出する面である。カバー部材固定部３３は、貫通孔を有し、連結部１０の見込面に、見付方向外側からネジによって締結される。
【００２４】
シール部３５が、アンカー１の固定部１３の見付方向外側で、外側カバー３の端部側延出部３２の室内側面と、内側縦枠２４の室外側の見付面との間の隙間Ｓに配置される。シール部３５は、湿式シールであり、端部側延出部３２の室内側面と、内側縦枠２４の室外側の見付面との隙間Ｓをシールして塞ぐことで、固定部１３の近傍に水等が進入することが防止される。また、シール部３５よりも見付方向の連結部１０寄りには、耐火材が充填される。
【００２５】
耐火ボード４は、図２及び図３に示すように、連結部１０の室内側の見付面側に配置される。耐火ボード４は、連結部１０の室内側の見付面よりも見付方向の幅が広く、隣接する窓部２０の内側縦枠２４同士の間隔よりも狭い程度の見付方向の幅を有する。耐火ボード４は、室内側から見込方向に貫通するネジにより連結部１０に固定されており、建物の躯体には固定されていない。耐火ボード４の上側と、躯体との間には、ロックウール等の不燃の耐火材が充填される。
【００２６】
耐火ボード支持体４１は、連結部１０の室内側で、耐火ボード４の室外側に配置され、耐火ボード４が火災時に倒れることを防止する。耐火ボード支持体４１は、耐火ボード４よりも長手方向の長さが長く、下端は枠体２よりも下で建物のモルタル部１０１に埋設され、上端は躯体上部に取り付けられている。
【００２７】
図５（ａ）は、受け金具５の斜視図であり、図５（ｂ）は受け金具５の正面図、図５（ｃ）は、受け金具の側面図である。図５（ａ）〜図５（ｃ）に示すように、受け金具５は耐火ボード４の上端側及び下端側に設けられる。受け金具５は、受け面部５１と、壁部５２と、接続部５３と、を有する。
【００２８】
受け面部５１は、平面視略四角形の平面状の板面である。受け面部５１は、取り付けられた状態で、耐火ボード４の下面又は上面に当接し、耐火ボード４の下面及び上面を支持する。受け面部５１は、耐火ボード４の見込方向及び見付方向の寸法と対応する寸法を有する。
【００２９】
壁部５２は、受け面部５１から離間する方向（例えば、図５（ａ）における上方）に向かって起立する面であり、見付側壁部５２１と、見込側壁部５２２と、を有する。
見付側壁部５２１は、受け面部５１の室内側見付面に沿って延びる端縁５１ａから起立する面である。見付側壁部５２１は、受け面部５１の見付方向の寸法よりも小さく、受け面部５１の室内側の見付方向に延びる端縁５１ａの略中央部寄りに形成され、両端側には隙間が形成されている。見付側壁部５２１は、耐火ボード４の下端側に配置された受け金具５では、耐火ボード４の室内側面の下端を位置決めし、上端側に配置された受け金具５では、耐火ボード４の上端から室内側面に沿って下垂して、耐火ボード４が室内側に倒れることを抑止する。
見込側壁部５２２は、受け面部５１の見込面に沿って延びる端縁５１ｂから起立する面であり、受け面部５１の見付方向の一方と他方からそれぞれ起立している。見込側壁部５２２は、受け面部５１の見込方向に沿う端縁５１ｂの室内側寄りに位置しており、室外側は空いている。
【００３０】
接続部５３は、受け面部５１の見込方向室外側の端部において見付方向に沿って延びる端縁５１ｃから、壁部５２の起立する方向の反対側（例えば、図５（ａ）における下方）に向かって延出する面であり、貫通孔５３１が形成されている。
図２に示すように、下方側に配置された受け金具５の接続部５３は、受け面部５１に耐火ボード４が載った状態で、下方へ延び、耐火ボード支持体４１にネジにより締結して連結される。また、上方側に配置された受け金具５の連結部は、受け面部５１が耐火ボード４の上端に接した状態で、上方へ延び、耐火ボード支持体４１にネジにより締結して連結される。
【００３１】
なお、連結部１０の室内側には、図３に示すように、内側縦枠２４の室内側の見付面の端部から、耐火ボード４の周囲を覆うように断面視略コの字状の内側カバー６が取り付けられる。
内側カバー６の内部では、連結部１０の室内側の見付面に、連結部１０の見付方向の幅よりも広い幅の連結板６１が接続されている。
連結板６１の見付方向両端部における室外側の面と、連結部１０の見込面の室内側の端部と、内側縦枠２４の室内側の見付面の端部と、内側カバー６の見込面の室外側端部と、の四つの面に沿うように屈曲した、横断面視で四つの面を有する内側アタッチメント６２が配置されている。内側アタッチメント６２を介して、連結板６１が接続された連結部１０及び内側縦枠２４を固定するとともに、これらを内側カバー６に固定している。
【００３２】
次に、連窓１００の組み立て方法について説明する。
まず、内側縦枠２４の枠体側係合部２４０に、アンカー１の固定部材側係合部１２を係合させる。このとき、固定部１３は内側縦枠２４から室外側へ、例えば８〜１０ｍｍ突出している。アンカー１は、内側縦枠２４の見込面に、上下方向に間隔を空けて複数取り付ける。間隔は、例えば、３９０〜４１０ｍｍであってよい。また、内側縦枠２４の室内側の端部には、内側アタッチメント６２をネジで取付けておく。
アンカー１を取り付けた連結部１０の上端及び下端には、躯体に連結するための取付金具１５を取付け、連結部１０の室内側の見付面には連結板６１を取付ける。
【００３３】
次に、連結部１０と内側縦枠２４とを組み付ける。内側縦枠２４に係合させたアンカー１の固定部１３を、連結部１０の見込面にネジで締結する。また、内側アタッチメント６２を、内側縦枠２４の室内側の見付面の端部に向けてネジを締結し、ネジの軸部をアンカー１の室内側の固定部材側係合部１２の見込面に沿って配置する。この状態で、左右の窓部２０の内側縦枠２４と連結部１０が組み合わされ、枠体２と連結部１０が連窓１００となる。組み合わされた連窓１００を、建物の開口部にセットする。
【００３４】
連結部１０に取り付けた取付金具１５を、建物の躯体の鉄筋に溶接し、連結部１０を開口部に固定する。また、連結部１０が開口部に固定された状態で、連結板６１と内側アタッチメント６２とをネジにより締結し、内側アタッチメント６２を介して、固定された連結部１０と内側縦枠２４とを接続する。
【００３５】
次に、耐火ボード支持体４１を連結部１０の室内側に配置し、上下を固定して取り付ける。また、受け金具５を開口部の下側の室内側面に配置し、接続部５３を耐火ボード支持体４１の下端部に連結する。
受け金具５の受け面部５１の上に、耐火ボード４の下面を載せ、受け金具５によって耐火ボード４の位置を位置決めしながら、耐火ボード４を耐火ボード支持体４１の室内側に配置する。耐火ボード４の上下方向の中央部で、耐火ボード４、耐火ボード支持体４１及び連結部１０を見込方向に締結するネジにより固定する。また、下側と同様に、受け金具５を耐火ボード４の上面にも取付ける。耐火ボード４の上部には、耐火材を充填する。耐火ボード４が連結部に固定され、躯体に固定されていないので、躯体上部の形状がどのような構成になっていても、確実に耐火ボード４を固定することができる。
【００３６】
連結部１０の室外側では、外側カバー３のカバー部材固定部３３を、連結部１９の室外側の見込面にネジにより固定する。そして、カバー部材固定部３３から見付方向外側で、内側縦枠２４と外側カバー３との間に耐火材を充填しながら、内側縦枠２４と外側カバー３との間の隙間をシール部３５でシールする。
連結部１０の室内側では、内側カバー６を内側アタッチメント６２に取り付ける。
【００３７】
本実施形態によれば、以下の効果が奏される。
本実施形態では、建物の開口部に設けられる一方の窓部２０及び一方の窓部２０に隣接する他方の窓部２０の間に配置され、一方の窓部２０側の枠体２と、他方の窓部２０側の枠体２とを連結する連結部１０を有する連窓構造を、連結部１０の室内側の見付面側に配置される耐火ボード４と、耐火ボード４の下面を支持する平面状の受け面部５１を有する受け金具５と、を含んで構成した。
連窓構造において連結部１０の室内側の見付面側に耐火ボード４を配置するときに、平面状の受け面部を有する受け金具５で耐火ボード４の下面を支持するため、安定して耐火ボード４を取り付けることができる。また、個々の開口部の周囲の構造によって、耐火ボード４を取り付ける耐火ボード４の下面側の構造が平坦でなかったり、耐火ボード４の下面の全面を支持できないような場合であっても、耐火ボード４を容易に施工することができる。さらに、耐火ボード４を受け金具５の受け面部５１に載せると、設置する際に見込方向の移動が容易になり、施工性が向上する。
【００３８】
本実施形態では、受け金具５を、受け面部５１の室内側見付面又は見込面のいずれか少なくとも一方から起立する壁部５２を含んで構成した。
受け面部５１の見付面又は見込面のいずれか少なくとも一方から壁部５２が起立するので、耐火ボード４が、受け面部５１からの室外側の見付面か、又は見込面かのいずれか又は両方にずれることを防止することがで、位置決めが容易になる。このため、耐火ボード４が受け面部５１の上に載った状態を維持しやすく、施工性が向上する。
【００３９】
本実施形態では、受け金具５を、耐火ボード４の上端側及び下端側に設けた。また、耐火ボード４の上端側に配置される受け金具５を、少なくとも受け面部５１の室内側見付面から起立する壁部５２を含んで構成し、上端側に取り付けられた状態で、壁部５２を、耐火ボード４の室内側面に沿って下垂させた。
受け金具５を耐火ボード４の上端側及び下端側に取り付けることで、耐火ボード４をより安定して取り付けることができる。特に、受け金具５を耐火ボード４の上端側に取り付けた場合、壁部５２が耐火ボード４の室内側面に沿って下垂することになるので、耐火ボード４が室内側に倒れることが効果的に防止でき、施工性が向上する。
【００４０】
本実施形態では、連結部１０の室内側で、耐火ボード４の室外側に配置される耐火ボード支持体４１をさらに含んで構成した。また、受け金具５を、耐火ボード支持体４１と別部材で構成した。
受け金具５を耐火ボード支持体４１と別部材で構成することで、受け金具５の受け面部５１上に耐火ボード４を載せた状態で、室内側から室外側へ移動させ、耐火ボード４が耐火ボード支持体４１に当接した地点で取り付けることができ、施工が容易になる。
【００４１】
以上、本発明の好ましい実施形態について説明したが、本発明は、上述の実施形態に制限されるものではなく、適宜変更が可能である。
例えば、上記実施形態では、単窓を例に説明したが、段窓であっても同様のアンカーを用いることができる。また、上記実施形態では、連結部１０は、中空の金属製の角材で構成されているが、これに限られない。連結部１０として、従来用いられている方立を用いてもよい。また、連結部１０は、上下方向に延びるように配置されているが、見付方向に延びる無目に用いてもよい。また、窓部２０と窓部２０の間に設けられた建物の壁部分も、連結部１０の概念に含まれてよい。
【００４２】
また、上記実施形態では、受け金具５を耐火ボード４の上端側及び下端側に取り付けているが、これに限られない。受け金具は、下端側のみに設けてもよい。
また、本実施形態では、受け金具５を耐火ボード支持体４１と別部材で構成しているが、これに限られない。受け金具を耐火ボード支持体と一体の部材で構成してもよい。
【００４３】
さらに、本実施形態では、受け金具５に、見付側壁部５２１と、一対の見込側壁部５２２とを設けているが、これに限られない。見付側壁部及び一対の見込側壁部のいずれも無い受け金具であってもよく、見付側壁部及び一対の見込側壁部のいずれかのみが形成されている受け金具であってもよく、一対の見込側壁部のうちの片方のみが形成されている受け金具であってもよい。さらに、受け金具が耐火ボードの上端側と下端側の両方に取り付けられている場合に、上端側と下端側で形状が異なっていてもよい。
【符号の説明】
【００４４】
２      枠体
４      耐火ボード
５      受け金具
１０    連結部
２０    窓部
４１    耐火ボード支持体
５２    壁部
【図１】
2019163617.tif 000003
【図２】
2019163617.tif 000004
【図３】
2019163617.tif 000005
【図４】
2019163617.tif 000006
【図５】
2019163617.tif 000007